(57)【要約】【課題】熱源に対する埃、塵、ゴミ等の侵入を抑制しつつ、効率よく熱源を冷却することができる小型の熱源冷却機構及び電気機器を提供する。【解決手段】熱源であるスピンドルモータ２２及び光ピックアップ部２３を収納している光ディスクドライブ２の筐体２１の外部に通気管１１が配してある。この通気管１１の両端部夫々は筐体２１の背壁部２１１ａ，２１２ａに連結してあり、通気管１１の入口１１ａに送風機が配されているため、通気管１１内部を筐体２１内部の空気が積極的に通過する。通気管１１には、通気管１１内部の吸熱部１２１と排熱部１２２とで構成されたヒートシンク１２が配されているため、通気管１１内部を通過する空気が冷却され、冷却された空気が筐体２１内部を循環することによって熱源を冷却する。【選択図】図１
2007193895.tif 000002
【特許請求の範囲】
【請求項１】
筐体に収納された熱源を冷却する熱源冷却機構において、
前記筐体の外部に設けられ、前記筐体の内部の空気が通過するよう両端部が前記筐体に連結されている通気管と、
該通気管の内部に配され、該通気管を通過する空気が有する熱を吸熱する吸熱部と、
前記通気管に配されて、前記筐体の内部から前記通気管の内部へ又は該内部から前記筐体の内部へ送風する送風機と
を備えることを特徴とする熱源冷却機構。
【請求項２】
前記通気管の外面部に配され、前記吸熱部と一体的に設けられて、該吸熱部が吸熱した熱を排熱する排熱部を備えることを特徴とする請求項１に記載の熱源冷却機構。
【請求項３】
前記吸熱部は、前記送風機の近傍に配してあることを特徴とする請求項１又は２に記載の熱源冷却機構。
【請求項４】
熱源が収納された内側筐体、及び該内側筐体に収納された熱源を冷却する熱源冷却機構を内蔵する外側筐体と、
該外側筐体の内部から外部へ送風する送風機と
を備える電気機器であって、
前記熱源冷却機構は請求項１乃至３の何れかひとつに記載の熱源冷却機構であり、前記筐体は前記内側筐体であり、
前記熱源冷却機構が有する通気管と、前記送風機とが対向配置してあることを特徴とする電気機器。
【請求項５】
熱源が収納された内側筐体、及び該内側筐体に収納された熱源を冷却する熱源冷却機構を内蔵する外側筐体と、
該外側筐体の内部から外部へ送風する送風機と
を備える電気機器であって、
前記熱源冷却機構は請求項２に記載の熱源冷却機構であり、前記筐体は前記内側筐体であり、
前記熱源冷却機構が有する排熱部と、前記送風機とが対向して接近配置してあることを特徴とする電気機器。
【発明の詳細な説明】
【技術分野】
【０００１】
本発明は、筐体に収納された熱源を冷却する熱源冷却機構及び該熱源冷却機構を備える電気機器に関する。
【背景技術】
【０００２】
従来から、熱源（光ディスクドライブの光ピックアップ部、ＣＰＵのような電子部品等）及び／又は熱源周辺の各部（光ディスクドライブに挿入されたディスク、電子部品が実装された基板等）に対する埃、塵、ゴミ等の付着を抑制しつつ、効率よく熱源を冷却することが求められている。
このために、熱源を筐体内に略密閉して収納し、冷却の際に筐体外部の空気を筐体内部に侵入させず、筐体内部の空気を循環させて熱源を冷却することが考えられる。しかしながら、この場合、筐体内部の空気の温度が上昇することによって、効率のよい冷却が困難になるという問題がある。
【０００３】
この問題を解決するために、略密閉された第１室と、第２室とを筐体内に設け、熱源を内蔵し防塵を要する光ディスクドライブを第１室に収容して、第１室内の空気が光ディスクドライブ内外を循環するようにして光ディスクドライブ内の熱源を冷却し、防塵を必要としない電源は、放熱用の通気孔が形成された第２室に収容する光ディスクサブシステム装置が提案されている（特許文献１参照）。
【０００４】
この場合、第１室及び第２室夫々で冷却すべき熱量は、光ディスクドライブと電源とを両方冷却する場合よりも小さい。また、第１室における冷却は、光ディスクドライブ外の空気の循環経路の断面積より光ディスクドライブ内の空気の循環経路の断面積を小さくすることによって、光ディスクドライブ内の空気、つまり熱源に直接的に接触している空気の流速を大きくして冷却効果を高めている。更に、循環する空気に接触する放熱器を第１室内に備え、そして、埃、ゴミ等の侵入を抑制しつつ筐体内外の空気を交換して冷却効果を高めている。
【０００５】
また、筐体内部の空気を筐体内面に全体的に接触させつつ循環させて、筐体内部の空気が有する熱を筐体に吸熱させ、筐体外面全体に設けた放熱器で放熱する電子機器が開示されている（特許文献２参照）。
この場合、放熱器が大きいため、筐体内部の空気が効率よく冷却される。
【特許文献１】特開２００２−２５８９８７号公報
【特許文献２】特開平８−１０２１８０号公報
【発明の開示】
【発明が解決しようとする課題】
【０００６】
しかしながら、特許文献１の光ディスクサブシステム装置は、光ディスクドライブの筐体の外側に更に筐体を備えることによって、密閉性を保持しつつ空気の循環経路を設けている。しかも、光ディスクドライブ内の空気の循環経路の断面積より光ディスクドライブ外の空気の循環経路の断面積を大きくしている。このため、熱源冷却機構が大型である。
また、光ディスクサブシステム装置が備える放熱器は光ディスクサブシステム装置の筐体内部に配されているため、放熱効率は低いと考えられる。
【０００７】
一方、特許文献２の電子機器は、筐体外面全体に放熱器を設けているため、熱源冷却機構が大型であり、筐体外面の放熱器に熱を効率よく熱を伝達させるためには、筐体の熱伝導率が高い（例えば金属製である）必要があり、筐体の材質が制限される。
【０００８】
本発明は斯かる事情に鑑みてなされたものであり、その主たる目的は、筐体内部の空気が通過する通気管の内部に吸熱部を配し、筐体内部の空気に通気管を通過させる送風機を通気管に配することにより、熱源に対する埃、塵、ゴミ等の侵入を抑制しつつ、筐体の材質に制限を設けることなしに効率よく熱源を冷却することができる小型の熱源冷却機構及び電気機器を提供することにある。
【０００９】
本発明の他の目的は、通気管内部の吸熱部が吸熱した熱を排熱する排熱部を通気管外部に配することにより、更に効率よく熱源を冷却することができる熱源冷却機構及び電気機器を提供することにある。
【００１０】
本発明の更に他の目的は、送風機の近傍に吸熱部を配することにより、更に効率よく熱源を冷却することができる熱源冷却機構を提供することにある。
【課題を解決するための手段】
【００１１】
本発明に係る熱源冷却機構は、筐体に収納された熱源を冷却する熱源冷却機構において、前記筐体の外部に設けられ、前記筐体の内部の空気が通過するよう両端部が前記筐体に連結されている通気管と、該通気管の内部に配され、該通気管を通過する空気が有する熱を吸熱する吸熱部と、前記通気管に配されて、前記筐体の内部から前記通気管の内部へ又は該内部から前記筐体の内部へ送風する送風機とを備えることを特徴とする。
【００１２】
本発明に係る熱源冷却機構は、前記通気管の外面部に配され、前記吸熱部と一体的に設けられて、該吸熱部が吸熱した熱を排熱する排熱部を備えることを特徴とする。
【００１３】
本発明に係る熱源冷却機構は、前記吸熱部は、前記送風機の近傍に配してあることを特徴とする。
【００１４】
本発明に係る電気機器は、熱源が収納された内側筐体、及び該内側筐体に収納された熱源を冷却する熱源冷却機構を内蔵する外側筐体と、該外側筐体の内部から外部へ送風する送風機とを備える電気機器であって、前記熱源冷却機構は本発明の熱源冷却機構であり、前記筐体は前記内側筐体であり、前記熱源冷却機構が有する通気管と、前記送風機とが対向配置してあることを特徴とする。
【００１５】
本発明に係る電気機器は、熱源が収納された内側筐体、及び該内側筐体に収納された熱源を冷却する熱源冷却機構を内蔵する外側筐体と、該外側筐体の内部から外部へ送風する送風機とを備える電気機器であって、前記熱源冷却機構は本発明の熱源冷却機構であり、前記筐体は前記内側筐体であり、前記熱源冷却機構が有する排熱部と、前記送風機とが対向して接近配置してあることを特徴とする。
【００１６】
本発明にあっては、熱源を収納している筐体の外部に通気管が配してある。この通気管の両端部は、筐体内部の空気が通気管内部を通過するよう筐体に連結されている。
また、通気管に送風機が配されて、筐体内部から通気管内部へ送風するか、又は通気管内部から筐体内部へ送風するため、筐体内部の空気が通気管内部を積極的に通過する。
通気管の内部には、通気管を通過する空気が有する熱を吸熱する吸熱部が配されている。
【００１７】
送風機の送風によって、空気は筐体内部と通気管内部とを循環する。
この場合、筐体内部の空気は、筐体に収納された熱源の熱を吸熱する。吸熱した空気は送風機によって通気管内部を通過し、通気管内部の通過中に吸熱部に吸熱されることによって放熱する。そして、通気管内部で放熱した空気が、筐体に収納された熱源の熱を吸熱することを繰り返す。このため、熱源が効率よく冷却される。
【００１８】
更に、本発明にあっては、熱源が収納された筐体を内側筐体とし、この内側筐体を外側筐体に内蔵する。外側筐体には、内側筐体に収納された熱源を冷却する熱源冷却機構も内蔵される。
また、外側筐体には、外側筐体の内部から外部へ送風する送風機が配されている。この送風機は、例えば外側筐体に内蔵された熱源を冷却する。この熱源は、内側筐体に収納された熱源でもよく、該熱源以外の熱源でもよい。
外側筐体に配された送風機は、熱源冷却機構が有する通気管と対向配置してある。
【００１９】
通気管内部の吸熱部が吸熱した熱は、例えば通気管を介して通気管外部の空気に吸熱され、吸熱した空気は、送風機によって外側筐体の外部へ排出される。また、内側筐体に収納された熱源以外の熱源から吸熱した空気も、送風機によって外側筐体の外部へ排出される。このため、外側筐体に内蔵された熱源が効率よく冷却される。
【００２０】
本発明にあっては、吸熱部が吸熱した熱を排熱すべく、通気管内部の吸熱部に一体的に設けられた排熱部が、通気管の外面部に配してある。
送風機の送風によって、空気は筐体内部と通気管内部とを循環する。
この場合、筐体内部の空気は、筐体に収納された熱源の熱を吸熱する。吸熱した空気は送風機によって通気管内部を通過し、通気管内部の通過中に吸熱部に吸熱されることによって放熱する。更に、吸熱した吸熱部は排熱部に熱が伝導することによって放熱し、排熱部は伝導された熱を排熱する。そして、通気管内部で放熱した空気が、筐体に収納された熱源の熱を吸熱することを繰り返す。このため、熱源が更に効率よく冷却される。
【００２１】
更に、本発明にあっては、熱源が収納された筐体を内側筐体とし、この内側筐体を外側筐体に内蔵する。外側筐体には、内側筐体に収納された熱源を冷却する熱源冷却機構も内蔵される。
また、外側筐体には、外側筐体の内部から外部へ送風する送風機が配されている。この送風機は、熱源冷却機構が有する通気管の外面部に配してある排熱部と対向配置してある。
通気管内部の吸熱部が吸熱した熱は、排熱部によって通気管外部の空気（具体的には排熱部近傍の空気）へ排熱され、排熱された熱を吸熱した空気は、排熱部に対向配置された送風機によって外側筐体の外部へ排出される。このため、外側筐体に内蔵された熱源が効率よく冷却される。
【００２２】
本発明にあっては、送風機が筐体内部から通気管内部へ送風する場合、筐体内部の熱を吸熱した空気が、送風機近傍の吸熱部へ高速で送風され、前記空気が吸熱部に当接し易い。つまり、高温の空気が、筐体内部から吸熱部へ効率よく送風される。
逆に、送風機が通気管内部から筐体内部へ送風する場合、送風機近傍の吸熱部に吸熱された空気が高速で筐体内部へ送風される。つまり、低温の空気が、吸熱部から筐体内部へ効率よく送風される。
【発明の効果】
【００２３】
本発明の熱源冷却機構による場合、熱源を収容している筐体の外部に通気管が配してあるため、熱源を収納している筐体の外部に更に筐体を配する場合より熱源冷却機構を小型化することができる。
また、吸熱部は通気管内部に配してあるため、筐体外面全体に放熱器を設ける場合より熱源冷却機構を小型化することができる。
【００２４】
更に、通気管内部の吸熱部によって、筐体内部を循環する空気が吸熱し、通気管内部で放熱するため、筐体に収容された熱源を効率よく冷却することができる。
更にまた、送風機の送風によって、空気は筐体内部と通気管内部とを循環し、筐体外部への送風及び筐体外部からの送風は行なわないため、筐体の密閉性を向上させることができ、筐体外部から筐体内部への埃、塵、ゴミ等の侵入を抑制することができる。
【００２５】
また、吸熱部の熱伝導率が高ければよいため、例えば筐体の熱伝導率は問わない。このため、熱源の冷却のために、筐体の素材が制限されることはない。
更にまた、筐体外部に通気管が配してあるため、通気管及び吸熱部が筐体内部のレイアウトを阻害することはない。
【００２６】
更に、本発明の電気機器による場合、本発明の熱源冷却機構が備える吸熱部が吸熱した熱を、外側筐体の送風機によって効率よく放熱することができる。
【００２７】
本発明の熱源冷却機構による場合、通気管内部の吸熱部及び通気管外面部の排熱部によって、筐体内部を循環する空気が吸熱し、通気管内部で放熱し、更に、通気管外面部の排熱部によって、通気管内部で放熱された熱が筐体外部へ放熱されるため、筐体に収容された熱源を効率よく冷却することができる。
また、排熱部は通気管外面部に配してあるため、筐体外面全体に放熱器を設ける場合より熱源冷却機構を小型化することができる。
更にまた、吸熱部及び排熱部の熱伝導率が高ければよいため、筐体、通気管等の熱伝導率は問わない。このため、熱源の冷却のために筐体、通気管等の素材が制限されることはない。
【００２８】
更に、本発明の電気機器による場合、本発明の熱源冷却機構が備える排熱部が排熱した熱を、外側筐体の送風機によって効率よく放熱することができる。
【００２９】
本発明の熱源冷却機構による場合、吸熱部近傍の送風機によって吸熱部に対する空気の送風が効率よく行なわれるため、更に効率よく放熱することができる。
【発明を実施するための最良の形態】
【００３０】
以下、本発明を、その実施の形態を示す図面に基づいて詳述する。
【００３１】
実施の形態  １．
図１は、本発明の実施の形態１に係る熱源冷却機構１を備える光ディスクドライブ２が内蔵された記録再生装置３の構成を示す水平断面図であり、熱源冷却機構１の水平断面図及び光ディスクドライブ２の水平部分断面図を含む。また、図２は、図１におけるII−II線の断面図である。
記録再生装置３は本発明に係る電気機器であり、光ディスクドライブ２を搭載しているＤＶＤレコーダである。
記録再生装置３は、直方体状の筐体（以下、装置筐体という）３１を備え、装置筐体３１に、光ディスクドライブ２と、熱源冷却機構１とを内蔵している。
【００３２】
光ディスクドライブ２は、筐体２１と、ＤＶＤであるディスクＤを上側から載置されて回転可能に支持するスピンドルモータ２２と、ディスクＤに対する映像データ、音声データ等の読み書きを行なう光ピックアップ部２３と、ディスクＤを筐体２１内に出し入れするためのディスクトレイ２４とを備える。
【００３３】
筐体２１は、底部と側壁部とを有する底側筐体２１１に、前記底部に対向する蓋部と前記側壁部の外側に密着する側壁部とを有する蓋側筐体２１２を取り付けてなる直方体状であり、スピンドルモータ２２、光ピックアップ部２３及びディスクトレイ２４は筐体２１に収容されている。
筐体２１の正面は記録再生装置３の装置筐体３１の正面３１ａの内側に対向配置されている。このため、筐体２１の背面である底側筐体２１１及び蓋側筐体２１２夫々の背壁部２１１ａ，２１２ａは、記録再生装置３の背面３１ｂの内側に対向配置されている。
【００３４】
筐体２１は、記録再生装置３の正面３１ａにて開閉する図示しない開閉部が開放（即ち筐体２１が開放）されると共にディスクトレイ２４が筐体２１外部へ突出し、また、ディスクトレイ２４が筐体２１内部へ格納されて前記開閉部が閉鎖（即ち筐体２１が閉鎖）されるように構成してある。
筐体２１は、筐体２１が閉鎖されている場合、略密閉状態である。このため、筐体２１内に外部から埃、塵、ゴミ等が侵入してスピンドルモータ２２、光ピックアップ部２３、筐体２１に収納されたディスクＤ等に付着することが抑制されている。
【００３５】
スピンドルモータ２２及び光ピックアップ部２３は熱源であり、適宜の冷却を要する。このため、光ディスクドライブ２には、熱源を冷却する熱源冷却機構１が光ディスクドライブ２背部に外側から取り付けられるようにして備えられている。
熱源冷却機構１は、通気管１１と、ヒートシンク１２と、送風機１３とを備える。
【００３６】
通気管１１は、断面形状が矩形状の筒状であり、平面視が略Ｕ字状であって、背壁部２１１ａ，２１２ａに沿って背壁部２１１ａ，２１２ａの外側に配してある。
また、通気管１１は、通気管１１の一端部である入口１１ａが背壁部２１１ａ，２１２ａの水平方向一側を貫通して開口し、通気管１１の他端部である出口１１ｂが背壁部２１１ａ，２１２ａの水平方向他側を貫通して開口している。ただし、通気管１１の存在によって筐体２１の密閉性が損なわれることはない。
通気管１１の入口１１ａには、筐体２１の内部から通気管１１の内部へ送風する送風機１３が配されている。つまり、送風機１３は吸気側が筐体２１内部に向けて、排気側が通気管１１内部に向けて配されている。
【００３７】
このようにして通気管１１は、通気管１１内部を筐体２１の内部の空気が通過可能としてある。特に、送風機１３が作動している場合、筐体２１の内部の空気は通気管１１内部を積極的に通過する。
【００３８】
ヒートシンク１２は熱伝導率が高い金属製であり、通気管１１を通過する空気が有する熱を吸熱する吸熱部１２１と、吸熱部１２１が吸熱した熱を排熱する排熱部１２２とを一体に成型してある。ヒートシンク１２は、通気管１１の背面３１ｂ側の壁部を貫通して通気管１１に固定してある。ただし、ヒートシンク１２の存在によって通気管１１の密閉性が損なわれることはない。また、ヒートシンク１２のサイズは、熱源が発する熱量に応じて決定する。
【００３９】
吸熱部１２１は通気管１１の内部、更に詳細には通気管１１内部の送風機１３排気側近傍に配されている。このために、吸熱部１２１は通気管１１の長手方向中央部よりも入口１１ａ側に配されている。
吸熱部１２１には、筐体２１の正面−背面方向に並置された複数本（本実施の形態では４本）の通気孔１２ｂ，１２ｂ，…が形成されている。通気孔１２ｂ，１２ｂ，…の両側面は水平方向に凹凸を有する（波打つ）ように形成されており、このために、各通気孔１２ｂ，１２ｂ間に配された３枚の隔壁１２ａ，１２ａ，…は水平方向に波打つように形成されている。
【００４０】
通気管１１内部を通過する空気は、通気孔１２ｂ，１２ｂ，…の何れか一つを通過し、通気孔１２ｂ，１２ｂ，…の通過中に、前記空気が有する熱は、吸熱部１２１に吸熱される。ここで、通気孔１２ｂ，１２ｂ，…の波打ちは、通気孔１２ｂ，１２ｂ，…内を通過する空気と吸熱部１２１との接触面積を増大させて吸熱効率を向上させる効果を有する。
【００４１】
排熱部１２２は通気管１１の外面部（筐体２１外部及び通気管１１外面であり装置筐体３１内部）に配され、吸熱部１２１の通気管１１外面側から記録再生装置３の背面３１ｂ側へ突出する複数枚（本実施の形態では８枚）の排熱板１２ｃ，１２ｃ，…で構成されている。各排熱板１２ｃは、装置筐体３１内部の空気と広い表面積で接触するため排熱効率が高い。
【００４２】
記録再生装置３は、記録再生装置３を制御する図示しないＣＰＵ、スピンドルモータ２２及び光ピックアップ部２３、図示しない電源等の熱源を冷却するために、装置筐体３１の内部から外部へ（図１中白抜矢符３ａ，３ｂ方向へ）送風する送風機（以下、装置送風機という）３２を、装置筐体３１の背面３１ｂに備える。つまり、装置送風機３２は吸気側が装置筐体３１内部に向けて、排気側が装置筐体３１外部に向けて配されている。
装置送風機３２の吸気側と、熱源冷却機構１が有する排熱部１２２の排熱板１２ｃ，１２ｃ，…とは、対向して接近配置してある。
【００４３】
ところで、送風機１３、スピンドルモータ２２及び光ピックアップ部２３は、少なくとも筐体２１が開放されている場合は作動せず、作動中に筐体２１が開放された場合は停止するように構成されている。このため、筐体２１が開放されて筐体２１の密閉性が低下している場合に送風機１３が作動することによる筐体２１内部の空気の攪拌は行なわれない。このため、筐体２１が開放時に筐体２１内に外部から埃、ゴミ等が侵入することが抑制されている。
筐体２１が開放されている場合はスピンドルモータ２２及び光ピックアップ部２３が停止しているため、送風機１３を作動させてスピンドルモータ２２及び光ピックアップ部２３を冷却する必要がない。つまり、筐体２１の開放時に送風機１３を停止させることに問題はない。
【００４４】
以上のような熱源冷却機構１は、送風機１３の送風によって、筐体２１内部の空気を筐体２１内部と通気管１１内部との間で循環させる（図１中白抜矢符４１〜４５）。
この場合、筐体２１内部の空気は、筐体２１に収納された熱源であるスピンドルモータ２２及び光ピックアップ部２３の熱を吸熱する。吸熱した高温の空気は送風機１３によって入口１１ａを通過し通気管１１内部に取り込まれる（白抜矢符４１）。
【００４５】
通気管１１内部に取り込まれた高温の空気は、送風機１３近傍の吸熱部１２１へ高速で送風されて吸熱部１２１に容易に当接し（白抜矢符４２）、通気孔１２ｂ，１２ｂ，…の通過中に吸熱部１２１によって吸熱されることによって放熱し、低温の空気となる（白抜矢符４３）。
そして、通気管１１内部で放熱された低温の空気が、通気管１１を更に通過して（白抜矢符４４）、出口１１ｂを介して筐体２１内へ送風され（白抜矢符４５）、筐体２１に収納されたスピンドルモータ２２及び光ピックアップ部２３の熱を吸熱することを繰り返す。このため、スピンドルモータ２２及び光ピックアップ部２３が効率よく冷却される。
【００４６】
吸熱し、高温となった吸熱部１２１は排熱部１２２に熱が伝導することによって放熱し、低温となる。このため、新たな空気が通気孔１２ｂ，１２ｂ，…の通過した場合にこの空気の熱を十分に吸熱することができる。
吸熱部１２１から熱が伝導されて高温となった排熱部１２２は、排熱部１２２近傍の空気に熱が伝導することによって排熱し、低温となる。このため、吸熱部１２１に新たに吸熱した場合に、この熱が排熱部１２２へ迅速に伝導する。
【００４７】
排熱部１２２から排熱された熱を吸熱し、高温となった空気は、装置送風機３２によって装置筐体３１の外部へ排出され、このとき、装置筐体３１の外部から、低温の空気が装置筐体３１の内部へ取り込まれる。
この結果、装置筐体３１内部は適切な温度以下に保たれる。
【００４８】
また、熱源冷却機構１は、熱源冷却機構１自体の密閉性が高く、スピンドルモータ２２及び光ピックアップ部２３の冷却時に筐体２１外部との空気の遣り取りを行なわないため、埃、ゴミ等の筐体２１内への侵入を抑制することができる。
【００４９】
更に、熱源冷却機構１は、筐体２１の背部に通気管１１が取り付けられ、この通気管１１にヒートシンク１２及び送風機１３が設けられている小型のものである。しかも、筐体２１の外部に配してあるため筐体２１内部のレイアウトを阻害することがない。
【００５０】
なお、本発明の電気機器は、熱源冷却機構１を備える光ディスクドライブ２が内蔵された記録再生装置３に限るものではない。例えば、本発明の熱源冷却機構を備える光源ユニットが内蔵されたプロジェクタ、本発明の熱源冷却機構を備えるハードディスクが内蔵されたパーソナルコンピュータ又はサーバ等でもよい。
【００５１】
本実施の形態の熱源冷却機構１は、ディスクＤの回転によって生じる空気流が筐体２１内部の空気の循環を助長するため更に冷却効率が高い。しかしながら、送風機１３によって十分に空気の循環が生じるため、例えばディスクＤの回転による空気流が生じないブルーレイ用ドライブに熱源冷却機構１を備える場合でも、熱源冷却機構１は効率的な冷却と埃、ゴミ等の侵入の抑制とに効果がある。
【００５２】
また、ヒートシンク１２は、吸熱部１２１から排熱部１２２へ容易に熱が伝導する構成であれば、本実施の形態のような一体成型でなく、別部材として形成された吸熱部１２１と排熱部１２２とを連結してもよい。また、排熱部１２２を備えず、例えば金属製の通気管１１をヒートシンク１２の一部となして排熱してもよい。この場合、熱源冷却機構１が更に小型化される。
更に、吸熱部１２１と送風機１３との距離を離隔させてもよく、送風機１３の吸気−排気方向を逆方向にしてもよく、送風機１３を出口１１ｂに配してもよい。また、送風機１３を通気管１１の内部に配する構成でもよい。ただし、送風機１３を通気管１１の端部である入口１１ａに配する場合は通気管１１の内部に配する場合よりも通気管１１に対する空気の流入出が円滑である。
【００５３】
実施の形態  ２．
図３は、本発明の実施の形態２に係る熱源冷却機構１を備える光ディスクドライブ２の構成を示す水平断面図である。また、図４は、図３におけるIV−IV線の断面図である。
本実施の形態においては、実施の形態１の光ディスクドライブ２の底側筐体２１１の底部内面に、風向部２５，２６が追加されている。
風向部２５，２６夫々は、筐体２１内部の空気を所定の方向に案内するよう底側筐体２１１の底部内面に一体に設けられた平面視Ｕ字状の凸条部であり、風向部２５が風向部２６の外側に配されている。
【００５４】
スピンドルモータ２２は平面視時計周りに回転し、このためスピンドルモータ２２に支持されたディスクＤも平面視時計周り（図３中矢符２ａ方向）に回転する。
【００５５】
出口１１ｂを介して筐体２１内へ送風された空気は（白抜矢符４５）、風向部２５，２６に案内されて平面視時計周りに移動する（白抜矢符４６）。このとき、回転するディスクＤが平面視時計周りの空気流を発生させるため、筐体２１内部の空気の平面視時計周りの移動を助長する。このようにして平面視時計周りに循環する筐体２１内部の空気は、筐体２１に収納されたスピンドルモータ２２及び光ピックアップ部２３の熱を吸熱し、送風機１３によって入口１１ａを通過し通気管１１内部に取り込まれる（白抜矢符４１）。
【００５６】
以上の結果、熱源冷却機構１においては、送風機１３の送風によって、筐体２１内部の空気が筐体２１内部と通気管１１内部との間で平面視時計周りに確実に循環され（図３中白抜矢符４１〜４６）、スピンドルモータ２２及び光ピックアップ部２３が更に効率よく冷却される。
【００５７】
その他、実施の形態１に対応する部分には同一符号を付してそれらの説明を省略する。
【００５８】
実施の形態  ３．
図５は、本発明の実施の形態３に係る熱源冷却機構１を備える光ディスクドライブ２の構成を示す水平断面図である。また、図６は、図５におけるVI−VI線の断面図である。
本実施の形態においては、実施の形態１の光ディスクドライブ２の底側筐体２１１の底部内面に、風向板２７１，２７１，２７２，２７２，２８１，２８２，２８３が追加されている。
風向板２７１，２７１，２７２，２７２，２８１，２８２，２８３は、筐体２１内部の空気を所定の方向に案内するよう底側筐体２１１の底部内面に立設された板部である。
【００５９】
風向板２７１，２７１は入口１１ａ側へ循環してきた筐体２１内部の空気が確実に入口１１ａへ進入するよう互いに略平行に入口１１ａ近傍に配されている。一方、風向板２７２，２７２は出口１１ｂを介して筐体２１内へ送風された空気が確実に筐体２１内部（具体的には筐体２１の正面側）へ進出するよう互いに略平行に出口１１ｂ近傍に配されている。
更に、風向板２８１，２８２，２８３は、筐体２１の正面側へ移動してきた空気が確実に筐体２１の背面側へ移動するよう、ディスクＤの配置範囲を取り囲むようにして筐体２１の正面近傍に配されている。
【００６０】
出口１１ｂを介して筐体２１内へ送風された空気は（白抜矢符４５）、風向板２７２，２７２に案内されて平面視時計周りに移動する（白抜矢符４６）。このとき、回転するディスクＤが平面視時計周りの空気流を発生させ、しかも平面視時計周りに移動する空気流が風向板２８１，２８２，２８３に案内されるため、筐体２１内部の空気の平面視時計周りの移動が助長される。このようにして平面視時計周りに循環する筐体２１内部の空気は、筐体２１に収納されたスピンドルモータ２２及び光ピックアップ部２３の熱を吸熱し、風向板２７１，２７１に案内されつつ送風機１３によって入口１１ａを通過し通気管１１内部に取り込まれる（白抜矢符４１）。
【００６１】
以上の結果、熱源冷却機構１においては、送風機１３の送風によって、筐体２１内部の空気が筐体２１内部と通気管１１内部との間で平面視時計周りに確実に循環され（図３中白抜矢符４１〜４６）、スピンドルモータ２２及び光ピックアップ部２３が更に効率よく冷却される。
【００６２】
その他、実施の形態１，２に対応する部分には同一符号を付してそれらの説明を省略する。
【００６３】
なお、風向板２７１，２７１，２７２，２７２，２８１，２８２，２８３は、蓋側筐体２１２から垂下していてもよい。
【図面の簡単な説明】
【００６４】
【図１】本発明の実施の形態１に係る熱源冷却機構を備える光ディスクドライブが内蔵された記録再生装置の構成を示す水平断面図である。
【図２】図１におけるII−II線の断面図である。
【図３】本発明の実施の形態２に係る熱源冷却機構を備える光ディスクドライブの構成を示す水平断面図である。
【図４】図３におけるIV−IV線の断面図である。
【図５】本発明の実施の形態３に係る熱源冷却機構を備える光ディスクドライブの構成を示す水平断面図である。
【図６】図５におけるVI−VI線の断面図である。
【符号の説明】
【００６５】
１    熱源冷却機構
１１  通気管
１２  ヒートシンク
１２１  吸熱部
１２２  排熱部
１３  送風機
２１  筐体（内側筐体）
２２  スピンドルモータ（熱源）
２３  光ピックアップ部（熱源）
３    記録再生装置（電気機器）
３１  装置筐体（外側筐体）
３２  装置送風機（送風機）
【図１】
2007193895.tif 000003
【図２】
2007193895.tif 000004
【図３】
2007193895.tif 000005
【図４】
2007193895.tif 000006
【図５】
2007193895.tif 000007
【図６】
2007193895.tif 000008